(57)【要約】【課題】ワンタッチで操作することができ、開閉作用も確実で、構造が堅牢な把手兼用ロック体を得る。【解決手段】開閉体（図示されていない）の回動部にベース２を、非回動部にフック３をそれぞれ取り付ける。ベース２にはリンク７を介してカバー１を取り付け、カバー１の上端にはカバーシャフト８１によりアーム６が軸支されている。カバーシャフト８１はベース２に取り付けたアームスプリング６４によりベースに向けて付勢されている。ロック体の開放時には図示の如くカバー１が外方に開き把手の機能も有する。ロック体の閉鎖時にはアーム６の係合部６２がフック３の係合部３２に、又カバー１に取り付けた仮止用レバー４の係合部４１がフックの係合部３１にそれぞれ係合している。さらに鍵部９をキーで操作して鎖錠すれば標識兼閉鎖体５が下降して仮止用レバー４の上昇を抑止する。【選択図】図７
2005256280.tif 000002
【特許請求の範囲】
【請求項１】
開閉体の回動部に取り付けられたベースと、非回動部に取り付けられたフックと、ベースにリンクを介して取り付けられ、ベースに対して摺動と回動を行うカバーと、カバーに回動可能に軸支され、ロック体の閉鎖時にはフックと係合しているアームと、カバーに摺動可能に取り付けられていて、ロック体の閉鎖時にはフックと係合している仮止用レバーとからなる把手兼用ロック体において、
カバーにはキーの操作によって移動し、鎖錠時には、前記の仮止用レバーを、フックから外れないように抑止する標識兼閉鎖体が取り付けられており、
カバーは、リンクを介してベースに摺動と回動が可能に取り付けられているので、ロック体の開放時には摺動しながら外方に回動することによって、開閉体の回動部を操作する把手の機能も有しており、
さらにアームの上端肩部と、カバーの上端部とは、カバーの回動によって接触し、カバーの回動につれてアームも同時に外方に回動させられるように構成されていることを特徴とするワンタッチで開閉可能な把手兼用ロック体。
【発明の詳細な説明】
【技術分野】
【０００１】
この発明は例えば蓋体のような回動部と、筐体のような非回動部とを有する収納ボックスのような開閉体に使用する把手兼用ロック体に関する。
【背景技術】
【０００２】
図１はこの発明の把手兼用ロック体を開閉体に適用した一例を示す斜視図、図２はこの開閉体の回動部を開いたところを示す斜視図である。
【０００３】
この発明の把手兼用ロック体１０を適用した開閉体である大型収納ボックス１５は回動部である蓋体１６と非回動部である筐体１７とから構成されている。
【０００４】
図１３、図１４は従来のロック体の構成を示すもので、蓋体１６にはベース２が固定され、筺体１７にはフック３が固定されている。ベース２にはベースシャフト２１に軸支されたリンク７を介してカバー１が取り付けられている。８２はリンク７にカバー１を軸支するリンクシャフトである。カバー１の上端にはカバーシャフト８１を介してアーム６が取り付けられている。そしてカバーシャフト８１はアームスプリング６４によって、ベース２の方へ付勢されている。
【０００５】
ロック体を閉鎖する時は、カバー１を反時計方向に回動すればリンク７を介してカバー１、ならびにアーム６はアームスプリング６４に抗して上昇し、アーム６の先端係合部６２はフック３の係合部３２と係合し、カバー１の下端に取り付けられている仮止用レバー４の係合部４１はフック３の係合部３１と係合する。
【０００６】
ロック体を鎖錠する時は、鍵部９をキーによって操作し、図１４のフックの正面図に示されるように、鍵の操作片９２を９０度回動させることにより、操作片９２はフック３のＵ形溝３５に入り、鎖錠される。
【０００７】
鎖錠状態からロック体を解放するには、キーの操作により、鍵の操作片９２を図１４で直立の状態にしてＵ形溝３５から外し、仮止レバー４を時計方向に回動させて係合部４１をフックの係合部３１から外し、カバー１を時計方向に回動させればリンク７とアームスプリング６４の作用により、カバー１とアーム６とは下方に摺動しながら外方に開き解放状態となる。
【特許文献１】特開平９−９６１４７号公報
【発明の開示】
【発明が解決しようとする課題】
【０００８】
従来のロック体は係止部が凡てフックに集中しており、鍵の操作片を係止するＵ形溝まで形成されているので、ロック体としての堅牢さや確実性に欠ける難点がある。又ロック体が閉鎖されているときに、キーによる鎖錠が行われているかどうかは、外部から見ただけでは判らないという不具合も免れない。
【課題を解決するための手段】
【０００９】
この発明は前記の課題を解決するために、鎖錠時にはキーの操作によって、仮止レバーをフックから外れないように抑止する標識兼閉鎖体をカバーに取り付け、カバーは解放時には外方に回動するので把手の機能も有し、さらにカバーが回動するとその上端部がアームの上端肩部と接触し、アームも同時に回動するように構成されている把手兼用ロック体を得たものである。
【発明の効果】
【００１０】
この発明は前記の構成によって、構造が堅牢で、ワンタッチで確実に閉鎖、開放ができ、鎖錠中であるかどうかも外部から判り、把手兼用であるから、蓋体のような回動部に突出物がなくて安全であるという多くの利点を有する把手兼用ロック体を得ることができた。
【実施例１】
【００１１】
図３はこの発明の把手兼用ロック体１０の正面図、図４は図３をＦ方向からみた側面図、図５は同じくロック体を解放した状態の側面図、図６は図４の側断面図、図７は図５の側断面図をそれぞれ示す。
【００１２】
図４、図５に示すように、蓋体１６にベース２が固定され、筐体１７にフック３が固定されている。ベース２のリンク支持体２３にベースシャフト２１によって軸支されたリンク７を介してカバー１がベース２に取り付けられている。又カバー１には上端にあるカバーシャフト８１によってアーム６が回動可能に取り付けられている。８２はカバー１とリンク７を連結するリンクシャフトである。さらにカバーシャフト８１ベース２のスプリング係止部２２に取り付けられたアームスプリング６４によって、ベース２の方向に付勢されている。
【００１３】
又カバー１には鍵部９、キーの操作によって移動する標識兼閉鎖体５、ならびにレバースプリング４４によって下方に付勢されている仮止用レバー４などが取り付けられている。
【００１４】
図８はベース２の側断面図、図９は仮止用レバー４の側断面図、図１０はアーム６の側断面図、図１１は標識兼閉鎖体５の正面図、図１２は図１１をＦ方向からみた断面図をそれぞれ示している。なお図６の断面図ではロック体１０は閉鎖はしているが、キーによる鎖錠は行われていない状態を示している。
【００１５】
図６に示す閉鎖状態（上記の如くキーによる鎖錠は行われていない。）では、アーム６の先端係合部６２はフック３の係合部３２と係合しており、又係止用レバー４の係合部４１はフック３の係合部３１と係合している。そしてキーによる鎖錠が行われていない時は標識兼閉鎖体５は上方にあがっていて、仮止用レバー４は下端の押圧部４２を指で押してレバースプリング４４に抗して上方に押し上げることによって、係合部４１をフック３の係合部３１との係合を外すことができる。キーを鍵部９の鍵孔９１に挿し込んで鎖錠を行えば標識兼閉鎖体５は下降し、その下方押圧部５１は仮止用レバー４の上端部４３に衝接し、仮止用レバー４の上方への移動を抑止する。又同時に鍵部の係止片がベース２に設けられた溝に入り、カバー１の回動を阻止する。
【００１６】
図１１、図１２に示すように、標識兼閉鎖体５の下方部分は鎖錠状態標示部５２となっており、上方が鎖錠状態標示部５３、下方が非鎖錠状態標示部５４となっていて、それぞれに適切な色か文字などで標示されている。図６に示す非鎖錠状態では標識兼閉鎖体５が上方にあがっているので下方の標示部５４がカバー１の窓１２からみえている。キーによって鎖錠すれば前述の如く標識兼閉鎖体５が下降するので上方の標示部５３が窓１２からみえる。
【００１７】
ロック体１０の鎖錠状態を解除するにはキーを鍵部９の鍵孔９１に挿し込んで操作することにより、前述のべース２との係止を解放するとともに標識兼閉鎖体５を図６に示すように上昇させて仮止用レバー４を押し上げ、係合部４１をフック３の係合部３の係合部３１から外す。そしてカバー１を時計方向に回動すればリンク７とアームスプリング６４の作用により、カバー１は外方（時計方向）に開きながら下降する。カバーシャフト８１が下降するので、軸支されているアーム６も下降しその先端の係合部６２もフック３の係合部３２から外れる。
【００１８】
ある程度カバー１が回動するとその上端部１１がアーム６の上端肩部６１に接し、カバー１の回動につれてアーム６も時計方向に回動し、図７の状態になる。
【００１９】
この発明の把手兼用ロック体１０は図７の状態になると、仮止用レバー４の係合部４１も、アーム６の先端の係合部６２もボックス１５の筐体１７に固着したフック３の係合部から外れ、又カバー１は外方に開き、把手の機能も有している。それでカバー１を把手として蓋体１６を図２に示すように開くことができる。そのため蓋体に突出物等を設ける必要がないので、安全であり、又フック３はキーによる鎖錠とは関係がなく、構造を堅牢にすることができる。
【産業上の利用可能性】
【００２０】
この発明の把手兼用ロック体はワンタッチで開閉でき、カバーが把手の機能を有して、把手となる突出物もないので、二輪車などに積載する配達用の大型収納ボックスなどに使用するのに好適である。
【図面の簡単な説明】
【００２１】
【図１】この発明のロック体を使用した収納ボックスの斜視図
【図２】収納ボックスの蓋体を開いたところを示す斜視図
【図３】ロック体の正面図
【図４】図３をＦ方向からみた側面図
【図５】ロック体を解放した状態を示す側面図
【図６】閉鎖状態のロック体の側断面図
【図７】解放状態のロック体の側断面図
【図８】一部断面で示したベースの側面図
【図９】仮止用レバーの側面図
【図１０】アームの側面図
【図１１】標識兼閉鎖体の正面図
【図１２】図１１をＦ方向からみた側面図
【図１３】従来のロック体の解放状態を示す断面図
【図１４】従来のロック体のフックの正面図
【符号の説明】
【００２２】
１    カバー
２    ベース
３    フック
４    仮止用レバー
５    標識兼閉鎖体
６    アーム
７    リンク
９    鍵部
１０    把手兼用ロック体
１１    カバー上端部
１２    カバーの窓
１５    収納ボックス
１６    蓋体
１７    筐体
２１    ベースシャフト
２２    スプリング係止部
２３    リンク支持体
２４    シャフト孔
３１    係合部
３２    係合部
３５    Ｕ形溝
４１    係合部
４２    押圧部
４３    上端部
４４    レバースプリング
５１    下方押圧部
５２    標示部
５３    鎖錠状態標示部
５４    非鎖錠状態標示部
６１    上端肩部
６２    先端係合部
６３    シャフト孔
６４    アームスプリング
８１    カバーシャフト
８２    リンクシャフト
９１    鍵孔
９２    鍵の係止片
【図１】
2005256280.tif 000003
【図２】
2005256280.tif 000004
【図３】
2005256280.tif 000005
【図４】
2005256280.tif 000006
【図５】
2005256280.tif 000007
【図６】
2005256280.tif 000008
【図７】
2005256280.tif 000009
【図８】
2005256280.tif 000010
【図９】
2005256280.tif 000011
【図１０】
2005256280.tif 000012
【図１１】
2005256280.tif 000013
【図１２】
2005256280.tif 000014
【図１３】
2005256280.tif 000015
【図１４】
2005256280.tif 000016